(57)【要約】【課題】繊維製品の泥汚れに対して優れた洗浄性を有する繊維製品用洗浄剤組成物、及び繊維製品の泥汚れに対して優れた再汚染防止能を有する繊維製品用洗浄剤組成物を提供する。【解決手段】トランスフェリンファミリータンパク質を含有する繊維製品用洗浄剤組成物、前記繊維製品用洗浄剤組成物を用いた繊維製品の泥汚れの洗浄方法、及び前記繊維製品用洗浄剤組成物を用いた泥汚れによる繊維製品の再汚染を防止する方法。【選択図】なし【特許請求の範囲】
【請求項１】
トランスフェリンファミリータンパク質を含有する、繊維製品用洗浄剤組成物。
【請求項２】
前記トランスフェリンファミリータンパク質が、下記糖タンパク質（ａ）〜（ｉ）からなる群より選ばれる少なくとも１種の糖タンパク質である、請求項１に記載の繊維製品用洗浄剤組成物。
（ａ）配列番号１のアミノ酸配列からなるタンパク質を含む糖タンパク質
（ｂ）配列番号１のアミノ酸配列において１又は数個のアミノ酸が欠失、置換、付加又は挿入されたアミノ酸配列からなるタンパク質を含み、鉄結合能を有する糖タンパク質
（ｃ）配列番号１のアミノ酸配列との相同性が７０％以上のアミノ酸配列からなるタンパク質を含み、鉄結合能を有する糖タンパク質
（ｄ）配列番号２のアミノ酸配列からなるタンパク質を含む糖タンパク質
（ｅ）配列番号２のアミノ酸配列において１又は数個のアミノ酸が欠失、置換、付加又は挿入されたアミノ酸配列からなるタンパク質を含み、鉄結合能を有する糖タンパク質
（ｆ）配列番号２のアミノ酸配列との相同性が７０％以上のアミノ酸配列からなるタンパク質を含み、鉄結合能を有する糖タンパク質
（ｇ）配列番号３のアミノ酸配列からなるタンパク質を含む糖タンパク質
（ｈ）配列番号３のアミノ酸配列において１又は数個のアミノ酸が欠失、置換、付加又は挿入されたアミノ酸配列からなるタンパク質を含み、鉄結合能を有する糖タンパク質
（ｉ）配列番号３のアミノ酸配列との相同性が７０％以上のアミノ酸配列からなるタンパク質を含み、鉄結合能を有する糖タンパク質
【請求項３】
配列番号１のアミノ酸配列を基準としてアミノ酸配列のアライメントを行った場合、前記トランスフェリンファミリータンパク質における、下記表１の（ｘ）位に対応するアミノ酸残基が、下記表１の（ｙ）に示すアミノ酸残基である、請求項１又は２に記載の繊維製品用洗浄剤組成物。
2015224327.tif 000006
【請求項４】
前記トランスフェリンファミリータンパク質が、ラクトフェリン、セロトランスフェリン及びオボトランスフェリンからなる群より選ばれる少なくとも１種の糖タンパク質である、請求項１〜３のいずれか１項に記載の繊維製品用洗浄剤組成物。
【請求項５】
請求項１〜４のいずれか１項に記載の繊維製品用洗浄剤組成物を用いた、繊維製品の泥汚れの洗浄方法。
【請求項６】
請求項１〜４のいずれか１項に記載の繊維製品用洗浄剤組成物を用いた、泥汚れによる繊維製品の再汚染を防止する方法。
【発明の詳細な説明】
【技術分野】
【０００１】
本発明は、繊維製品用洗浄剤組成物に関する。
【背景技術】
【０００２】
衣料などの繊維製品に付着する汚れは、一般に有機質汚れと無機質汚れとに大別される。このうち、無機質汚れの代表的なものとしては、泥汚れが挙げられる。繊維製品に付着する泥汚れ、特に靴下等の衣類に付着する泥汚れは発生頻度が高い。そして、繊維製品に付着する泥汚れは泥粒子が繊維に強固に付着したものであるため、昔から落としにくい汚れの１つとされている。
繊維製品用洗浄剤の主成分である界面活性剤やビルダーの泥汚れに対する洗浄効果は、有機質汚れと比較してその効果は比較的小さい。そこで、この無機質汚れに対する洗浄剤の洗浄効果を向上させるため、これまでに様々な技術が開発されてきた。
【０００３】
これまでに、衣類など繊維製品に付着する泥汚れに対して一定の効果を発揮する基材として様々な酵素を含有する洗浄剤組成物について提案されている。
例えば、特許文献１には、プロトペクチナーゼを含有する洗浄剤組成物が記載されている。ここで、プロトペクチナーゼは不溶性のペクチンを可溶性のペクチンにする反応を触媒する酵素である。特許文献１に記載の発明では、泥汚れが付着する繊維のペクチン質ごと剥ぎ取り、泥汚れを洗浄している。
また、特許文献２〜５には、セルラーゼを含有する洗浄剤組成物が記載されている。特許文献２〜５に記載の発明では、セルラーゼの作用により繊維の一部を分解又は繊維を構成するセルロースの構造を変化させて繊維に付着している泥を遊離し、泥汚れの除去を行っている。
さらに、特許文献６には、泥に対する親和性を有する特定の酵素（リパーゼ、プロテアーゼ、セルラーゼ、アミラーゼなど）を含有する洗浄剤組成物が記載されている。特許文献６に記載の発明は、脂肪やタンパク質などが泥と結合した泥複合汚れに対する洗浄剤組成物である。特許文献６に記載の発明では、前記酵素が泥に対して選択的に作用し、泥汚れ複合体を形成する脂質やタンパク質などを分解又は除去し、洗浄剤組成物に含まれる界面活性剤や金属捕捉剤により酵素近傍に存在する泥汚れの除去を行っている。
【先行技術文献】
【特許文献】
【０００４】
【特許文献１】特開平１１−１４０４８９号公報
【特許文献２】特開昭６１−４７８００号公報
【特許文献３】特開昭６１−２３１０９４号公報
【特許文献４】特開２０００−３１９６８８号公報
【特許文献５】特表２００６−５１７９８９号公報
【特許文献６】特開２００４−２１０８１２号公報
【発明の概要】
【発明が解決しようとする課題】
【０００５】
本発明は、繊維製品の泥汚れに対して優れた洗浄性を有する、繊維製品用洗浄剤組成物の提供を課題とする。
また本発明は、繊維製品の泥汚れに対して優れた再汚染防止能を有する、繊維製品用洗浄剤組成物の提供を課題とする。
【課題を解決するための手段】
【０００６】
本発明者らは上記課題に鑑み、鋭意検討を行った。その結果、ラクトフェリン、セロトランスフェリン及びオボトランスフェリンなどのトランスフェリンファミリータンパク質が繊維製品の泥汚れに対して優れた洗浄性と再汚染防止能を有することを見出した。本発明は、この知見に基づいて完成させるに至った。
【０００７】
すなわち本発明は、トランスフェリンファミリータンパク質を含有する、繊維製品用洗浄剤組成物に関する。
また本発明は、前記繊維製品用洗浄剤組成物を用いた、繊維製品に付着した泥汚れの洗浄方法に関する。
さらに本発明は、前記繊維製品用洗浄剤組成物を用いた、泥汚れによる繊維製品の再汚染を防止する方法に関する。
【発明の効果】
【０００８】
本発明の繊維製品用洗浄剤組成物は、繊維製品の泥汚れに対して優れた洗浄性を有する。
また本発明の繊維製品用洗浄剤組成物は、繊維製品の泥汚れに対して優れた再汚染防止能を有する。
【図面の簡単な説明】
【０００９】
【図１】配列番号１〜３に示すアミノ酸配列について、ClustalW（DDBJ）によりアライメントを行いアミノ酸配列の比較を行った結果を示す図である。
【発明を実施するための形態】
【００１０】
本発明の繊維製品用洗浄剤組成物（以下、単に「洗浄剤組成物」ともいう）は、繊維製品の泥汚れに対する洗浄成分としてトランスフェリンファミリータンパク質を含有する。
後述の実施例でも示すように、トランスフェリンファミリータンパク質は、サニタリー用品（タオル、寝具等）、布製品（カーテン、カーペット等）、衣類等の繊維製品（以下、本明細書において、単に「繊維製品」ともいう）の泥汚れに対して優れた洗浄性と再汚染防止能を有する。したがって、トランスフェリンファミリータンパク質を含有する本発明の繊維製品用洗浄剤組成物は、繊維製品用洗浄剤として好適に使用することができる。
なお、本明細書において「泥汚れによる繊維製品の再汚染防止」とは、水溶液中に分散した泥汚れ物質が、水溶液中に存在する布などの繊維製品への再付着を防止することを意味する。
【００１１】
本明細書において「トランスフェリンファミリータンパク質」とは、鉄結合能を有する糖タンパク質であって、生体内で鉄イオンの輸送を担うタンパク質の総称である。トランスフェリンファミリータンパク質はN-ローブ、C-ローブと呼ばれる２つのローブが１本のリンカーで連結された構造を採っている。そして、２つのローブそれぞれに、鉄イオンが１つずつ結合することができる。なお本明細書において「鉄結合能を有する糖タンパク質」とは、前記の２つのローブそれぞれが、１個の鉄イオンに結合することができる糖タンパク質を意味する。
トランスフェリンファミリータンパク質が泥汚れに対して洗浄性と再汚染防止能を有するメカニズムに関しては明らかでない点があるが、ペクチナーゼ活性、エンドグルカナーゼ活性、リパーゼ活性、プロテアーゼ活性、アミラーゼ活性などの酵素活性を有さないトランスフェリンファミリータンパク質が泥汚れに対して洗浄性と再汚染防止能を有することは、今回初めて見出した知見である。
【００１２】
本発明で用いることができるトランスフェリンファミリータンパク質は、Lambert  et  al.，Comparative  Biochemistry  and  Physiology，Part  B，142（2005），p．129-141；Testa，Proteins  of  iron  metabolism，CRC  Press，2002；及び、Harris  &  Aisen，Iron  carriers  and  iron  proteins，Vol．5，Physical  Bioinorganic  Chemistry，VCH，1991等の記載を参考とすることができる。
【００１３】
トランスフェリンファミリータンパク質の具体例としては、ラクトフェリン、セロトランスフェリン、オボトランスフェリン、メラノトランスフェリンなどが知られている。このうち、ラクトフェリン、セロトランスフェリン、及びオボトランスフェリンが好ましい。
【００１４】
ラクトフェリンはラクトトランスフェリン、ラクトシデロフィリンとも呼ばれ、哺乳動物の母乳、涙、汗、唾液などの外分泌液中に含まれる鉄結合能を有する糖タンパク質である。なお、本明細書におけるラクトフェリンは、ラクトフェリンを脱鉄したアポラクトフェリンや、アポラクトフェリンを鉄、銅、亜鉛、マンガンなどの金属でキレートした金属飽和又は金属部分飽和ラクトフェリンも包含する。
【００１５】
本発明において、ラクトフェリンはウシ由来のラクトフェリンであることが好ましく、ウシ乳汁由来ラクトフェリンであることがより好ましい。ここで、ウシ由来のラクトフェリンに含まれるタンパク質のアミノ酸配列の１例を配列番号１に記載する。
本発明で用いるラクトフェリンは、配列番号１に示すアミノ酸配列からなるタンパク質を含む糖タンパク質、又は当該アミノ酸配列において１又は数個（好ましくは２〜２１２個、より好ましくは２〜１４２個、さらに好ましくは２〜７１個、さらに好ましくは２〜３５個、特に好ましくは２〜７個）のアミノ酸が欠失、置換、付加又は挿入されたアミノ酸配列からなるタンパク質を含む、鉄結合能を有する糖タンパク質であることが好ましい。
あるいは、配列番号１に示すアミノ酸配列との相同性が７０％以上（好ましくは８０％以上、より好ましくは９０％以上、さらに好ましくは９５％以上、特に好ましくは９９％以上）のアミノ酸配列からなるタンパク質を含み、鉄結合能を有する糖タンパク質が好ましい。ここで、アミノ酸配列の相同性は、２つのアミノ酸配列をアラインメントしたときに両方の配列において同一のアミノ酸残基が存在する位置の数の全長アミノ酸残基数に対する割合（％）をいう。具体的には、リップマン−パーソン法（Lipman-Pearson法；Science，227，1435，(1985))によって計算され、遺伝情報処理ソフトウェアGenetyx-Win（Ver．5.1.1；ソフトウェア開発）のホモロジー解析（Search  homology）プログラムを用いて、Unit  size  to  compare（ktup）を２として解析を行なうことにより算出できる。
なお、ラクトフェリンの糖鎖部分は、本発明の効果を発揮する範囲内で適宜選択することができる。
【００１６】
セロトランスフェリンはジデロフィリン、トランスフェリチンとも呼ばれ、血漿に含まれる鉄結合能を有する糖タンパク質である。本発明において、セロトランスフェリンはヒト由来のセロトランスフェリンであることが好ましく、ヒト血液由来セロトランスフェリンであることがより好ましい。ここで、ヒト由来のセロトランスフェリンに含まれるタンパク質のアミノ酸配列の１例を配列番号２に記載する。
本発明で用いるセロトランスフェリンは、配列番号２に示すアミノ酸配列からなるタンパク質を含む糖タンパク質、又は当該アミノ酸配列において１又は数個（好ましくは２〜２０９個、より好ましくは２〜１４０個、さらに好ましくは２〜７０個、さらに好ましくは２〜３５個、特に好ましくは２〜７個）のアミノ酸が欠失、置換、付加又は挿入されたアミノ酸配列からなるタンパク質を含み、鉄結合能を有する糖タンパク質であることが好ましい。
あるいは、配列番号２に示すアミノ酸配列との相同性が７０％以上（好ましくは８０％以上、より好ましくは９０％以上、さらに好ましくは９５％以上、特に好ましくは９９％以上）のアミノ酸配列からなるタンパク質を含み、鉄結合能を有する糖タンパク質が好ましい。
なお、セロトランスフェリンの糖鎖部分は、本発明の効果を発揮する範囲内で適宜選択することができる。
【００１７】
オボトランスフェリンはコンアルブミンとも呼ばれ、卵白中に含まれる鉄結合能を有する糖タンパク質である。本発明において、オボトランスフェリンはニワトリの卵白由来のオボトランスフェリンであることが好ましい。ここで、卵白由来のオボトランスフェリンに含まれるタンパク質のアミノ酸配列の１例を配列番号３に記載する。
本発明で用いるオボトランスフェリンは、配列番号３に示すアミノ酸配列からなるタンパク質を含む糖タンパク質、又は当該アミノ酸配列において１又は数個（好ましくは２〜２１２個、より好ましくは２〜１４１個、さらに好ましくは２〜７１個、さらに好ましくは２〜３５個、特に好ましくは２〜７個）のアミノ酸が欠失、置換、付加又は挿入されたアミノ酸配列からなるタンパク質を含み、鉄結合能を有する糖タンパク質であることが好ましい。
あるいは、配列番号３に示すアミノ酸配列との相同性が７０％以上（好ましくは８０％以上、より好ましくは９０％以上、さらに好ましくは９５％以上、特に好ましくは９９％以上）のアミノ酸配列からなるタンパク質を含み、鉄結合能を有する糖タンパク質が好ましい。
なお、オボトランスフェリンの糖鎖部分は、本発明の効果を発揮する範囲内で適宜選択することができる。
【００１８】
配列番号１〜３に示すアミノ酸配列について、ClustalW（DDBJ）によりアライメントを行い、アミノ酸配列の比較を行った。その結果を図１に示す。
上記結果について検討したところ、配列番号１のアミノ酸配列を基準としてアミノ酸配列のアライメントを行った場合、配列番号１〜３に示すアミノ酸配列において下記に示す表１の（ｘ）に対応する位置のアミノ酸残基がそれぞれ表１の（ｙ）に示すアミノ酸残基であり、３種のトランスフェリンファミリータンパク質の間でこれらのアミノ酸残基が共通していた。この結果は、本発明で用いるトランスフェリンファミリータンパク質の泥汚れに対する洗浄性に、これら共通するアミノ酸残基が関与していることが考えられる。したがって、本発明で用いるトランスフェリンファミリータンパク質は、配列番号１のアミノ酸配列を基準としてアミノ酸配列のアライメントを行った場合、下記に示す表１の（ｘ）位に対応するアミノ酸残基がそれぞれ、表１の（ｙ）に示すアミノ酸残基であることが好ましい。
【００１９】
【表１】
2015224327.tif 000002
【００２０】
本発明で用いるトランスフェリンファミリータンパク質は、市販のトランスフェリンファミリータンパク質であってもよいし、乳汁、涙、汗、唾液、血漿、卵白などから常法により分離したトランスフェリンファミリータンパク質であってもよいし、遺伝子工学的手法により得られた組換えタンパク質であってもよい。なお、本明細書におけるトランスフェリンファミリータンパク質は、トランスフェリンファミリータンパク質と他のタンパク質又は分子とが融合又は抱合した、融合体又は抱合体も包含する。
【００２１】
本発明の洗浄剤組成物に含まれるトランスフェリンファミリータンパク質は、１種であってもよいし、２種以上を組み合わせて用いてもよい。
【００２２】
本発明の洗浄剤組成物中におけるトランスフェリンファミリータンパク質の含有量は、当業者が適宜設定することができる。例えば、トランスフェリンファミリータンパク質の含有量は、トランスフェリンファミリータンパク質を含む洗浄剤組成物の総量中０．００５質量％以上が好ましく、０．０５質量％以上がより好ましく、０．４質量％以下が好ましく、０．２質量％以下がより好ましい。あるいは、０．００５〜０．４質量％が好ましく、０．０５〜０．２質量％がより好ましい。
【００２３】
本発明の洗浄剤組成物にはこの種の洗浄剤に通常用いられる任意の成分を配合することができる。このような成分としては、下記に示すものが挙げられる。
【００２４】
（１）界面活性剤
本発明の洗浄剤組成物には、界面活性剤を配合することができる。本発明において、陰イオン性界面活性剤、非イオン性界面活性剤、両性界面活性剤、及び陽イオン性界面活性剤等の任意の界面活性剤を１種単独で又は２種以上を組み合わせて用いることができる。本発明において用いることができる界面活性剤は、陰イオン性界面活性剤又は非イオン性界面活性剤であることが好ましい。
【００２５】
陰イオン性界面活性剤としては、炭素数１０〜１８のアルコールの硫酸エステル塩、炭素数８〜２０のアルコールのアルコキシル化物の硫酸エステル塩、アルキルベンゼンスルホン酸塩、アルキル硫酸エステル塩、パラフィンスルホン酸塩、α−オレフィンスルホン酸塩、α−スルホ脂肪酸塩、α−スルホ脂肪酸アルキルエステル塩又は脂肪酸塩が好ましい。本発明では特に、アルキル鎖の炭素数が１０〜１４（より好ましくは炭素数が１２〜１４）の直鎖アルキルベンゼンスルホン酸塩及びアルキル硫酸塩が好ましい。これらの塩の対イオンとしては、アルカリ金属塩やアミン類が好ましく、特にナトリウム、カリウム、モノエタノールアミン、ジエタノールアミンが好ましい。
【００２６】
非イオン性界面活性剤としては、ポリオキシアルキレンアルキル（炭素数８〜２０）エーテル、アルキルポリグリコシド、ポリオキシアルキレンアルキル（炭素数８〜２０）フェニルエーテル、ポリオキシアルキレンソルビタン脂肪酸（炭素数８〜２２）エステル、ポリオキシアルキレングリコール脂肪酸（炭素数８〜２２）エステル、ポリオキシエチレンポリオキシプロピレンブロックポリマーが好ましい。特に、ポリオキシエチレン（EO平均付加モル数６）アルキル（炭素数１２〜１４）エーテルがより好ましい。
【００２７】
本発明の洗浄剤組成物中の界面活性剤の含有量は、当業者であれば適宜設定することができる。洗浄力及び溶解性の点からは、界面活性剤の含有量は、洗浄剤組成物の総量中１０質量％以上が好ましく、１５質量％以上がより好ましく、２０質量％以上がさらに好ましく、６０質量％以下が好ましく、５０質量％以下がより好ましく、４５質量％以下がさらに好ましい。あるいは、１０〜６０質量％が好ましく、１５〜５０質量％がより好ましく、２０〜４５質量％がさらに好ましい。そのうち陰イオン性界面活性剤の含有量は洗浄剤組成物の総量中１質量％以上が好ましく、２質量％以上がより好ましく、３質量％以上がさらに好ましく、６０質量％以下が好ましく、５０質量％以下がより好ましく、４０質量％以下がさらに好ましい。あるいは、１〜６０質量％が好ましく、２〜５０質量％がより好ましく、３〜４０質量％がさらに好ましい。また非イオン性界面活性剤の含有量は洗浄剤組成物の総量中１質量％以上が好ましく、２質量％以上がより好ましく、４質量％以上がさらに好ましく、４５質量％以下が好ましく、３５質量％以下がより好ましく、２５質量％以下がさらに好ましい。あるいは、１〜４５質量％が好ましく、２〜３５質量％がより好ましく、４〜２５質量％がさらに好ましい。
陰イオン性界面活性剤と非イオン性界面活性剤はそれぞれ単独で用いることもできるが、混合して用いるのが好ましい。また、両性界面活性剤や陽イオン性界面活性剤を目的に合わせ併用してもよい。
【００２８】
（２）ビルダー
本発明の洗浄剤組成物には、ビルダーを配合することができる。
ここで、「ビルダー」とは、それ自身に洗浄力は無いか又はごく弱い洗浄力しか有しないにもかかわらず、界面活性剤と共に配合されるとその洗剤能力を著しく向上させることができる成分を意味する。ビルダーの作用としては、例えば、多価金属陽イオン捕捉作用、汚れ分散作用、若しくはアルカリ緩衝作用、又はそれらの２種以上の組み合わせなどが挙げられる。
ビルダーとしては、水溶性無機化合物、水不溶性無機化合物、有機化合物等が挙げられる。
本発明で用いることができる水溶性無機化合物のビルダーとしては、リン酸塩（トリポリリン酸塩、ピロリン酸塩、メタリン酸塩、リン酸三ナトリウム等）、ケイ酸塩、炭酸塩、硫酸塩、亜硫酸塩等が挙げられる。中でも多価金属陽イオン捕捉作用、汚れ分散作用、若しくはアルカリ緩衝作用の全て有する点で、リン酸塩が好ましい。
本発明で用いることができる水不溶性無機化合物のビルダーとしては、アルミノケイ酸塩（Ａ型ゼオライト、Ｐ型ゼオライト、Ｘ型ゼオライト、非晶質アルミノ珪酸塩等）、結晶性珪酸塩等が挙げられる。
本発明で用いることができる有機化合物のビルダーとしては、カルボン酸塩（アミノカルボン酸塩、ヒドロキシアミノカルボン酸塩、ヒドロキシカルボン酸塩、シクロカルボン酸塩、マレイン酸誘導体、シュウ酸塩等）、有機カルボン酸（塩）ポリマー（アクリル酸ポリマー及びコポリマー、多価カルボン酸（例えばマレイン酸等）ポリマー及びコポリマー、グリオキシル酸ポリマー、多糖類及びこれらの塩等）等が挙げられる。中でも有機カルボン酸（塩）ポリマーが好ましい。
ビルダーの塩において、対イオンとしては、アルカリ金属塩、アミン類が好ましく、特にナトリウム、カリウム、モノエタノールアミン、又はジエタノールアミンが好ましい。
本発明に用いることができるビルダーとしては、水溶性無機化合物、水溶性無機化合物及び有機化合物の組み合わせ、又は、水溶性無機化合物、有機化合物及び水不溶性無機化合物の組み合わせが好ましい。
【００２９】
本発明の洗浄剤組成物中のビルダーの含有量は、当業者であれば適宜設定することができる。例えば、ビルダーの含有量は、洗浄剤組成物の総量中２０質量％以上が好ましく、３０質量％以上がより好ましく、３５質量％以上がさらに好ましく、８０質量％以下が好ましく、７０質量％がより好ましく、６０質量％以下がさらに好ましい。あるいは、２０〜８０質量％が好ましく、３０〜７０質量％がより好ましく、３５〜６０質量％がさらに好ましい。そのうち水溶性無機化合物ビルダーは、洗浄剤組成物の総量中１０質量％以上が好ましく、１５質量％以上がより好ましく、２０質量％以上がさらに好ましく、５０質量％以下が好ましく、４５質量％がより好ましく、４０質量％以下がさらに好ましい。あるいは、１０〜５０質量％が好ましく、１５〜４５質量％がより好ましく、２０〜４０質量％がさらに好ましい。また、水不溶性無機化合物ビルダーは洗浄剤組成物の総量中５質量％以上が好ましく、１０質量％以上がより好ましく、１５質量％以上がさらに好ましく、５０質量％以下が好ましく、４５質量％がより好ましく、４０質量％以下がさらに好ましい。あるいは、５〜５０質量％が好ましく、１０〜４５質量％がより好ましく、１５〜４０質量％がさらに好ましい。また、有機化合物ビルダーは洗浄剤組成物の総量中０．１質量％以上が好ましく、０．３質量％以上がより好ましく、０．５質量％以上がさらに好ましく、２０質量％以下が好ましく、１５質量％がより好ましく、１０質量％以下がさらに好ましい。あるいは、０．１〜２０質量％が好ましく、０．３〜１５質量％がより好ましく、０．５〜１０質量％がさらに好ましい。
【００３０】
（３）緩衝剤
本発明の洗浄剤組成物には、緩衝剤を配合することができる。
本発明で用いることができる緩衝剤のpHは5.0以上が好ましく、8.0以上がより好ましく、11.0以下が好ましい。あるいは、pH5.0〜11.0が好ましく、pH8.0〜11.0がより好ましい。また、緩衝剤の硬度は0度であることが好ましい。
本発明で用いることができる緩衝剤としては、クエン酸Na緩衝液（pH5.0）、Tris-HCl緩衝液（pH8.0）、グリシンNa緩衝液（pH11.0）などが挙げられる。
【００３１】
（４）その他の成分
本発明品洗浄剤組成物には、繊維製品用洗剤の分野で通常用いられるアルカリ剤（アルカリ金属炭酸塩、非晶質のアルカリ金属珪酸塩、水酸化ナトリウム、並びにモノ、ジ又はトリエタノールアミンなど）、漂白剤（テトラアセチルエチレンジアミンなど）、蛍光剤（ビフェニル型蛍光剤、スチルベン型蛍光剤など）、柔軟化剤、還元剤（亜硫酸塩など）、抑泡剤（シリコーンなど）、香料、各種酵素（セルラーゼ、プロテアーゼ、アミラーゼ、リパーゼなど）、などその他の成分を配合することができる。
【００３２】
本発明の洗浄剤組成物は、前記トランスフェリンファミリータンパク質と、必要により洗浄剤に通常用いられる任意の成分とを、常法に従い処方することで製造することができる。
本発明の洗浄剤組成物の形態は用途に応じて適宜選択することができる。例えば、液体、粉体、顆粒、ペースト、固形などにすることができる。これらのうち、本発明の洗浄剤組成物の形態は液体であることが好ましい。なお、本明細書において「液体」とは、２５℃で流動性を有することを意味する。流動性は常法に従い測定することができる。
【００３３】
本発明の洗浄剤組成物を用いて繊維製品の洗浄を行う場合、添加するトランスフェリンファミリータンパク質の終濃度を好ましくは５０ｍｇ／Ｌ以上、より好ましくは５００ｍｇ／Ｌ以上、好ましくは４０００ｍｇ／Ｌ以下、より好ましくは１０００ｍｇ／Ｌ以下となるよう適宜設定することができる。
【００３４】
常法に従い本発明の洗浄剤組成物を繊維製品に適用することで、繊維製品に付着する泥汚れの洗浄や、泥汚れによる繊維製品の再汚染を防止することができる。
洗浄方法や再汚染の防止方法としては適宜選択することができる。具体的には、付け置き洗い、手洗い洗浄、洗濯機や攪拌機を用いた洗浄等により行うことができる。
【００３５】
本発明の洗浄剤組成物を適用する繊維製品の素材としては特に制限はなく、ウール、シルク、木綿等の天然素材、ポリエステル、ポリアミド等の化学繊維、及びこれらの組合せのいずれであってもよい。このうち、木綿、ポリエステル、及びこれらの組み合わせが好ましい。
【００３６】
上述した実施形態に関し、本発明はさらに以下の繊維製品用洗浄剤組成物、方法、及び使用を開示する。
【００３７】
＜１＞トランスフェリンファミリータンパク質を含有する、繊維製品用洗浄剤組成物。
【００３８】
＜２＞前記トランスフェリンファミリータンパク質が、下記糖タンパク質（ａ）〜（ｉ）からなる群より選ばれる少なくとも１種の糖タンパク質である、前記＜１＞項に記載の繊維製品用洗浄剤組成物。
（ａ）配列番号１のアミノ酸配列からなるタンパク質を含む糖タンパク質
（ｂ）配列番号１のアミノ酸配列において１個、又は数個、好ましくは２〜２１２個、より好ましくは２〜１４２個、さらに好ましくは２〜７１個、さらに好ましくは２〜３５個、特に好ましくは２〜７個、のアミノ酸が欠失、置換、付加又は挿入されたアミノ酸配列からなるタンパク質を含み、鉄結合能を有する糖タンパク質
（ｃ）配列番号１のアミノ酸配列との相同性が７０％以上、好ましくは８０％以上、より好ましくは９０％以上、さらに好ましくは９５％以上、特に好ましくは９９％以上、のアミノ酸配列からなるタンパク質を含み、鉄結合能を有する糖タンパク質
（ｄ）配列番号２のアミノ酸配列からなるタンパク質を含む糖タンパク質
（ｅ）配列番号２のアミノ酸配列において１個、又は数個、好ましくは２〜２０９個、より好ましくは２〜１４０個、さらに好ましくは２〜７０個、さらに好ましくは２〜３５個、特に好ましくは２〜７個、のアミノ酸が欠失、置換、付加又は挿入されたアミノ酸配列からなるタンパク質を含み、鉄結合能を有する糖タンパク質
（ｆ）配列番号２のアミノ酸配列との相同性が７０％以上、好ましくは８０％以上、より好ましくは９０％以上、さらに好ましくは９５％以上、特に好ましくは９９％以上、のアミノ酸配列からなるタンパク質を含み、鉄結合能を有する糖タンパク質
（ｇ）配列番号３のアミノ酸配列からなるタンパク質を含む糖タンパク質
（ｈ）配列番号３のアミノ酸配列において１個、又は数個、好ましくは２〜２１２個、より好ましくは２〜１４１個、さらに好ましくは２〜７１個、さらに好ましくは２〜３５個、特に好ましくは２〜７個、のアミノ酸が欠失、置換、付加又は挿入されたアミノ酸配列からなるタンパク質を含み、鉄結合能を有する糖タンパク質
（ｉ）配列番号３のアミノ酸配列との相同性が７０％以上、好ましくは８０％以上、より好ましくは９０％以上、さらに好ましくは９５％以上、特に好ましくは９９％以上、のアミノ酸配列からなるタンパク質を含み、鉄結合能を有する糖タンパク質
＜３＞配列番号１のアミノ酸配列を基準としてアミノ酸配列のアライメントを行った場合、前記トランスフェリンファミリータンパク質における、前記表１の（ｘ）位に対応するアミノ酸残基が、前記表１の（ｙ）に示すアミノ酸残基である、前記＜１＞又は＜２＞項に記載の繊維製品用洗浄剤組成物。
＜４＞前記トランスフェリンファミリータンパク質が、ラクトフェリン、セロトランスフェリン及びオボトランスフェリンからなる群より選ばれる少なくとも１種の糖タンパク質である、前記＜１＞〜＜３＞項のいずれか１項に記載の繊維製品用洗浄剤組成物。
＜５＞前記ラクトフェリンがウシ由来のラクトフェリン、好ましくはウシ乳汁由来ラクトフェリン、である、前記＜４＞項に記載の繊維製品用洗浄剤組成物。
＜６＞前記セロトランスフェリンがヒト由来のセロトランスフェリン、好ましくはヒト血液由来セロトランスフェリン、である、前記＜４＞項に記載の繊維製品用洗浄剤組成物。
＜７＞前記オボトランスフェリンがニワトリの卵白由来のオボトランスフェリンである、前記＜４＞項に記載の繊維製品用洗浄剤組成物。
＜８＞前記繊維製品用洗浄剤組成物の形態が液体である、前記＜１＞〜＜７＞のいずれか１項に記載の繊維製品用洗浄剤組成物。
＜９＞前記トランスフェリンファミリータンパク質の含有量が、前記繊維製品用洗浄剤組成物の総量中０．００５質量％以上、好ましくは０．０５質量％以上、であり、０．４質量％以下、好ましくは０．２質量％以下、である、前記＜１＞〜＜８＞のいずれか１項に記載の繊維製品用洗浄剤組成物。
＜１０＞界面活性剤をさらに含有する、前記＜１＞〜＜９＞のいずれか１項に記載の繊維製品用洗浄剤組成物。
＜１１＞前記界面活性剤の含有量が、前記繊維製品用洗浄剤組成物の総量中１０質量％以上、好ましくは１５質量％以上、より好ましくは２０質量％以上、であり、６０質量％以下、好ましくは５０質量％以下、より好ましくは４５質量％以下、である、前記＜１０＞項に記載の繊維製品用洗浄剤組成物。
＜１２＞前記界面活性剤が陰イオン性界面活性剤及び非イオン性界面活性剤からなる群より選ばれる少なくとも１種の界面活性剤である、前記＜１０＞又は＜１１＞項に記載の繊維製品用洗浄剤組成物。
＜１３＞前記陰イオン性界面活性剤が、炭素数１０〜１８のアルコールの硫酸エステル塩、炭素数８〜２０のアルコールのアルコキシル化物の硫酸エステル塩、アルキルベンゼンスルホン酸塩、アルキル硫酸エステル塩、パラフィンスルホン酸塩、α−オレフィンスルホン酸塩、α−スルホ脂肪酸塩、及びα−スルホ脂肪酸アルキルエステル塩又は脂肪酸塩からなる群より選ばれる少なくとも１種の陰イオン性界面活性剤、好ましくはアルキル鎖の炭素数が１０〜１４（より好ましくは炭素数が１２〜１４）の直鎖アルキルベンゼンスルホン酸塩及びアルキル硫酸塩からなる群より選ばれる少なくとも１種の陰イオン性界面活性剤、である、前記＜１２＞項に記載の繊維製品用洗浄剤組成物。
＜１４＞前記陰イオン性界面活性剤の含有量が、前記繊維製品用洗浄剤組成物の総量中１質量％以上、好ましくは２質量％以上、より好ましくは３質量％以上、であり、６０質量％以下、好ましくは５０質量％以下、より好ましくは４０質量％以下、である、前記＜１２＞又は＜１３＞項に記載の繊維製品用洗浄剤組成物。
＜１５＞前記非イオン性界面活性剤が、ポリオキシアルキレンアルキル（炭素数８〜２０）エーテル、アルキルポリグリコシド、ポリオキシアルキレンアルキル（炭素数８〜２０）フェニルエーテル、ポリオキシアルキレンソルビタン脂肪酸（炭素数８〜２２）エステル、ポリオキシアルキレングリコール脂肪酸（炭素数８〜２２）エステル、及びポリオキシエチレンポリオキシプロピレンブロックポリマーからなる群より選ばれる少なくとも１種の非イオン性界面活性剤、好ましくはポリオキシエチレン（EO平均付加モル数6）アルキル（炭素数１２〜１４）エーテル、である、前記＜１２＞項に記載の繊維製品用洗浄剤組成物。
＜１６＞前記非イオン性界面活性剤の含有量が、前記繊維製品用洗浄剤組成物の総量中１質量％以上、好ましくは２質量％以上、より好ましくは４質量％以上、であり、４５質量％以下、好ましくは３５質量％、より好ましくは２５質量％以下、である、前記＜１２＞又は＜１５＞項に記載の繊維製品用洗浄剤組成物。
【００３９】
＜１７＞前記＜１＞〜＜１６＞のいずれか１項に記載の繊維製品用洗浄剤組成物の繊維製品用洗浄剤としての使用。
＜１８＞繊維製品用洗浄剤の製造のための前記＜１＞〜＜１６＞のいずれか１項に記載の繊維製品用洗浄剤組成物の使用。
＜１９＞前記＜１＞〜＜１６＞のいずれか１項に記載の繊維製品用洗浄剤組成物を繊維製品用洗浄剤として使用する方法。
＜２０＞前記＜１＞〜＜１６＞のいずれか１項に記載の繊維製品用洗浄剤組成物を用いた、繊維製品の泥汚れの洗浄方法。
＜２１＞前記＜１＞〜＜１６＞のいずれか１項に記載の繊維製品用洗浄剤組成物を用いた、泥汚れによる繊維製品の再汚染を防止する方法。
＜２２＞前記＜１＞〜＜１６＞のいずれか１項に記載の繊維製品用洗浄剤組成物の、繊維製品の泥汚れの洗浄のための使用。
＜２３＞前記＜１＞〜＜１６＞のいずれか１項に記載の繊維製品用洗浄剤組成物の、泥汚れによる繊維製品の再汚染の防止のための使用。
＜２４＞前記繊維製品の素材が木綿、ポリエステル、又はこれらの組み合わせである、前記＜１７＞〜＜２３＞のいずれか１項に記載の使用又は方法。
【実施例】
【００４０】
以下、本発明を実施例に基づきさらに詳細に説明するが、本発明はこれに限定されるものではない。
【００４１】
実施例１
直径６ｍｍに裁断した、２種類の標準人工汚染布（商品名：CS40（原料：木綿）；及び商品名：PS40（原料ポリエステル）、いずれも日本資材社より入手）をそれぞれ９６穴ディープウェルプレート（サーモ製）の各ウェルに１枚ずつ入れ、２０ｍＭ  Tris-HCl（pH8.0）緩衝液５４０μＬを添加した。さらに、ウシ乳汁由来ラクトフェリン（和光純薬工業社製）、ヒト血液由来セロトランスフェリン（商品名：トランスフェリン（ホロ）、和光純薬工業社製）、及び卵白由来オボトランスフェリン（商品名コンアルブミン、和光純薬工業社製）それぞれの溶液（溶媒：２０ｍＭ  Tris-HCl、pH8.0、硬度０度）を６０μＬ加え、各トランスフェリンファミリータンパク質の終濃度が０．５ｇ／Ｌとなるように適宜調整した。コントロールとして、前記タンパク質溶液に代えて、脱イオン水を６０μＬ加えた。
その後、バイオシェーカー（タイテック製）を用いて、３７０ｒｐｍ、４０℃の条件下で、２４時間ディープウェルプレートを振盪させた。振盪後、高速振盪機でさらに１０分間振盪し、洗液２５０μＬを９６穴プレート（IWAKI社製）に分注した。
【００４２】
洗液中の濁度（OD600）をプレートリーダー（Tecan社製）を用いて測定した。そして、各洗液中の濁度の値からコントロールの濁度の値を引き、泥遊離濁度（ΔOD600）を算出した。泥遊離濁度が高いほど、泥汚れに対する洗浄剤組成物の洗浄力が高いことを示す。
その結果を表２に示す。
【００４３】
【表２】
2015224327.tif 000003
【００４４】
表２の結果から明らかなように、トランスフェリンファミリータンパク質を含有する繊維製品用洗浄剤組成物は、繊維製品に付着した泥汚れに対して優れた洗浄効果を示す。
【００４５】
実施例２
滅菌丸底スピッツ（栄研化学社製）に、園芸用鹿沼土（ニチリウ永瀬社製）５０ｍｇと20mM  Tris-HCl（pH8.0）１０ｍＬを投入した。ここに、脱イオン水（コントロール）、ラクトフェリン又はオリゴマーＤ（花王社製、特開平１１−３２３３９０号公報参照）をそれぞれ終濃度が１ｇ／Ｌとなるように添加し、ボルテックスしてよく混合し、この時点を0時間とし、４０℃で静置した。ボルテックスによる混合から一定時間ごとにデンシトメーターDEN-1B（商品名、ワケンビーテック社製）を用いて溶液のマクファーランド比濁法により濁度（マクファーランド値）を測定した。マクファーランド値が高いほど溶液の濁度が高い、つまり泥分散能が高いことを示す。
その結果を表３に示す。
【００４６】
【表３】
2015224327.tif 000004
【００４７】
表３の結果から明らかなように、トランスフェリンファミリータンパク質を含有する繊維製品用洗浄剤組成物は、オリゴマーＤと同等の泥汚れに対する分散効果を示す。
【００４８】
実施例３
試験管に園芸用鹿沼土（ニチリウ永瀬社製）２５０ｍｇと２０ｍＭ  Tris-HCl（pH8.0）１０ｍＬを投入した。ここに、脱イオン水（コントロール）、ラクトフェリン、又はオリゴマーＤ（花王社製、特開平１１−３２３３９０号公報参照）をそれぞれ終濃度が１ｇ／Ｌとなるよう添加した。各試験官に１ｃｍ×１ｃｍに裁断した木綿布を入れ、３７℃、２５０ｓｐｍで３０分間振とうした後、布を回収した。回収した布を軽くすすぎ、布の反射率（４６０ｎｍ）をフォトメーター（商品名：CM-2600d、コニカミノルタ社製）にて測定し、以下の式に基づいて再汚染防止率を測定した。
再汚染防止率（％）
＝[（試験後の木綿の白布の反射率）／（試験前の木綿の白布の反射率）]×１００
この再汚染防止率が１００％に近いほど、再汚染量が少ないことを示す。
その結果を表４に示す。
【００４９】
【表４】
2015224327.tif 000005
【００５０】
表４の結果から明らかなように、トランスフェリンファミリータンパク質を含有する繊維製品用洗浄剤組成物は、オリゴマーＤと比較して、泥汚れによる繊維製品の再汚染に対して優れた防止効果を示す。
【図１】
2015224327.tif 000007
【配列表】
2015224327000001.app